(57)【要約】【課題】異なる表示装置で表示させた場合の色味の相違を少なくとも目立たなくすることができる画像処理装置を提供する。【解決手段】画像処理装置１０１は、第１の表示装置の色再生特性である第１の再生特性を取得する第１取得部１３と、第１の表示装置とは異なる第２の表示装置の色再生特性である第２の再生特性を取得する第２取得部１３と、画像のデータを記憶する記憶部１１と、第１の再生特性および第２の再生特性に基づいて、第２の表示装置において第１の再生特性での表示が実現されるように、画像の色を補正して補正画像のデータを生成する補正部１３と、を有する。【選択図】図５
2016096476.tif 000002
【特許請求の範囲】
【請求項１】
第１の表示装置の色再生特性である第１の再生特性を取得する第１取得部と、
前記第１の表示装置とは異なる第２の表示装置の色再生特性である第２の再生特性を取得する第２取得部と、
画像のデータを記憶する記憶部と、
前記第１の再生特性および前記第２の再生特性に基づいて、前記第２の表示装置において前記第１の再生特性での表示が実現されるように、前記画像の色を補正して補正画像のデータを生成する補正部と、を有する画像処理装置。
【請求項２】
前記第１の再生特性は、前記第１の表示装置のガンマ特性である第１のガンマ特性であり、
前記第２の再生特性は、前記第２の表示装置のガンマ特性である第２のガンマ特性であることを特徴とする、請求項１に記載の画像処理装置。
【請求項３】
前記補正部は、前記第１のガンマ特性を表す写像と前記第２のガンマ特性を表す写像の逆写像との合成写像に基づいて、前記補正画像のデータを生成する、ことを特徴とする請求項２に記載の画像処理装置。
【請求項４】
さらに、所定の色見本画像を前記第２の表示装置に表示させる表示指示部と、
前記第２の表示装置に表示された前記色見本画像を撮像した画像を取得する画像取得部と、を有し、
前記第２取得部は、前記画像取得部により取得した画像に基づいて前記第２のガンマ特性を求める、ことを特徴とする請求項３に記載の画像処理装置。
【請求項５】
被写体を撮像して画像のデータを生成する撮影部と、
前記画像のデータを記憶する記憶部と、
前記画像を表示する第１の表示装置と、
前記第１の表示装置の色再生特性である第１の再生特性を取得する第１取得部と、
前記第１の表示装置とは異なる第２の表示装置の色再生特性である第２の再生特性を取得する第２取得部と、
前記第１の再生特性および前記第２の再生特性に基づいて、前記第２の表示装置において前記第１の再生特性での表示が実現されるように、前記画像の色を補正して補正画像のデータを生成する補正部と、
前記補正画像のデータを送信する通信部と、を有する撮像装置。
【請求項６】
画像のデータを受信する通信部と、
前記画像のデータを記憶する記憶部と、
第１の表示装置の色再生特性である第１の再生特性を取得する第１取得部と、
前記第１の表示装置とは異なる第２の表示装置の色再生特性である第２の再生特性を取得する第２取得部と、
前記第１の再生特性および前記第２の再生特性に基づいて、前記第２の表示装置において前記第１の再生特性での表示が実現されるように、前記画像の色を補正して補正画像のデータを生成する補正部と、を有するサーバ。
【請求項７】
撮像装置およびサーバを有する画像表示システムであって、
前記撮像装置は、
被写体を撮像して画像のデータを生成する撮影部と、
前記画像を表示する第１の表示装置と、
前記画像のデータを前記サーバへ送信する第１の通信部と、を備え、
前記サーバは、
前記撮像装置から前記画像のデータを受信する第２の通信部と、
前記画像のデータを記憶する記憶部と、
前記第１の表示装置の色再生特性である第１の再生特性を取得する第１取得部と、
前記第１の表示装置とは異なる第２の表示装置の色再生特性である第２の再生特性を取得する第２取得部と、
前記第１の再生特性および前記第２の再生特性に基づいて、前記第２の表示装置において前記第１の再生特性での表示が実現されるように、前記画像の色を補正して補正画像のデータを生成する補正部と、
前記補正画像のデータを前記第２の表示装置へ送信する第３の通信部と、を備える、画像表示システム。
【請求項８】
記憶部に保持された画像に対し色補正処理を行う画像処理装置における画像処理方法であって、
第１の表示装置の色再生特性である第１の再生特性を取得するステップと、
前記第１の表示装置とは異なる第２の表示装置の色再生特性である第２の再生特性を取得するステップと、
前記第１の再生特性および前記第２の再生特性に基づいて、前記第２の表示装置において前記第１の再生特性での表示が実現されるように、記憶部に保持された画像の色を補正して補正画像のデータを生成するステップと、を有する画像処理方法。
【請求項９】
記憶部に保持された画像に対し色補正処理を行う画像処理装置のコンピュータに、
第１の表示装置の色再生特性である第１の再生特性を取得するステップと、
前記第１の画像表示装置とは異なる第２の表示装置の色再生特性である第２の再生特性を取得するステップと、
前記第１の再生特性および前記第２の再生特性に基づいて、前記第２の表示装置において前記第１の再生特性での表示が実現されるように、記憶部に保持された画像の色を補正して補正画像のデータを生成するステップと、を実行させることを特徴とする画像処理プログラム。
【発明の詳細な説明】
【技術分野】
【０００１】
本開示は、カラー画像の色補正をする画像処理装置に関する。
【背景技術】
【０００２】
近年、デジタルカメラで撮影した画像をテレビ等の表示装置で閲覧する機会が増えている。例えば、カメラで撮影した画像を、ＨＤＭＩ（登録商標）を介してテレビへ送信し、テレビに表示することができる（特許文献１）。
【先行技術文献】
【特許文献】
【０００３】
【特許文献１】特開２００８−１８７５３６号公報
【発明の概要】
【発明が解決しようとする課題】
【０００４】
しかしながら、従来、撮影した画像をデジタルカメラの本体背面の液晶ディスプレイで表示させたときの当該画像の色味と、同一の画像をテレビのような表示装置で表示させたときの色味は、同一の画像データに基づく映像表示であるにもかかわらず相違することがある。
【０００５】
本開示は、或る一の画像（静止画および動画）を異なる表示装置で表示させた場合の色味の相違を少なくとも目立たなくすることができる画像処理装置を提供する。
【課題を解決するための手段】
【０００６】
本開示における画像処理装置は、第１の表示装置の色再生特性である第１の再生特性を取得する第１取得部と、第１の表示装置とは異なる第２の表示装置の色再生特性である第２の再生特性を取得する第２取得部と、画像のデータを記憶する記憶部と、第１の再生特性および第２の再生特性に基づいて、第２の表示装置において第１の再生特性での表示が実現されるように、画像の色を補正して補正画像のデータを生成する補正部と、を有する。
【発明の効果】
【０００７】
本開示における画像処理装置は、或る一の画像（静止画および動画）を異なる表示装置（第１および第２の画像表示装置）で表示させた場合の色味の相違を少なくとも目立たなくすることができる。
【図面の簡単な説明】
【０００８】
【図１】従来技術によって一の画像をカメラディスプレイとテレビで表示させた場合の色味の違いを説明する模式図
【図２】本発明の第１の実施形態に係る画像処理および表示システムのブロック図である。
【図３】カメラ（撮影機器）の構成を示すブロック図である。
【図４】テレビ（表示機器）の構成を示すブロック図である。
【図５】第１の実施形態の画像処理および表示のシーケンスを示す図である。
【図６】第１の実施形態の画像色補正処理の流れを示すフローチャートである。
【図７】ディスプレイ再生特性データを説明するための図である。
【図８】表示機器機種別データベースを説明するための図である。
【図９】色補正処理で用いる変換写像Ｈの例を示す図
【図１０】本発明の第２の実施の形態に係る画像処理および表示システムのブロック図である。
【図１１】サーバの構成を示すブロック図である。
【図１２】第２の実施形態の画像処理および表示のシーケンスを示す図である。
【図１３】色見本画像の例を示す図である。
【図１４】第２の実施形態の画像色補正処理の流れを示すフローチャートである。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
図１（ａ）は、ある画像をカメラ本体のディスプレイで表示させた場合の表示ＤＰＬ１ａと、同じ画像（同じ画像データ）をテレビに表示させた場合の表示ＤＰＬ２ａとを示す図である。同図に示すように、同一の画像データに基づく表示であるにも関わらず、表示装置が異なると、両表示ＤＰＬ１ａおよびＤＰＬ２ａの間で色味が相違することがある。このように、表示装置により色味が相違することは一般的に望ましいことではなく、同じ色味で画像が表示されることが望ましい。
【００１２】
そこで、本開示は、ある表示装置における画像の表示と、別の表示装置における同じ画像の表示と、の間での色味の相違を少なくとも目立たなくするように、当該画像に対し２つの表示装置の再生特性（例えば、ガンマ特性など）を考慮した画像処理を施す画像処理装置を提供する。
【００１３】
（実施形態１）
ここから、図１〜９を用いて、実施の形態１を説明する。
【００１４】
［１−１．構成］
［１−１−１．システム構成］
図２は、本発明の実施形態１による、画像処理および表示のためのシステム１００の構成を示すブロック図である。システム１００は、被写体を撮影し画像データを生成するカメラ１０１と、カメラ１０１とデータ送受信可能に接続されたテレビ１０２とを有するシステムである。カメラ１０１は、画像データや後述する各種データなどを保持する記憶部１１および画像表示可能なディスプレイ１２を備える。カメラ１０１は、本実施形態による画像処理装置としての機能を有する。
【００１５】
カメラ１０１は、静止画および動画を撮像して、撮像により取得した画像のデータを記憶部１１に保存する。テレビ１０２は、カメラ１０１から送られる画像データを受信し、受信した画像データに基づいて静止画および動画を表示することができる。
【００１６】
［１−１−２．カメラの構成］
図３は、カメラ１０１の構成を示すブロック図である。カメラ１０１は、カメラ全体を制御するとともに画像データに対する所定の画像処理を行う制御部１３と、画像を撮影する撮影部１４と、各種データを記憶保持する記憶部１１と、外部機器との間でデータ送受信を行う通信部１５と、画像等の表示を行うディスプレイ１２と、を有する。
【００１７】
制御部１３は、ＣＰＵ（Central Processing Unit；中央演算処理装置）およびその補助回路で構成され、カメラ１０１を構成する各部を制御し、記憶部１１に記憶されたプログラムおよびデータに従って各種の処理を実行する。各種の処理には、画像データに対する画像処理が含まれる。制御部（ＣＰＵ）１３は、所定のプログラムを実行することによって、後述する処理を実行することができる。
【００１８】
なお、制御部１３は、ＡＳＩＣ（Application Specific Integrated Circuit）や、ＦＰＧＡ（Field-Programmable Gate Array）のようなプログラマブルロジックデバイスや、マイクロコントローラ、といったプロセッサとしても実装可能である。
【００１９】
撮影部１４は、撮像素子（ＣＣＤ（Charge-Coupled Device）イメージセンサ、ＣＭＯＳ（Complementary Metal-Oxide-Semiconductor）イメージセンサ等）と、撮像素子が出力する信号を処理する周辺回路を有し、制御部１３の指示に基づいて、画像（静止画、動画）のデータを生成し出力する。
【００２０】
記憶部１１は、制御部（ＣＰＵ）１３が実行するプログラムを格納し、またプログラムを実行するために必要な作業領域として用いられる。記憶部１１は、さらに、画像データの保持にも使用される。また、記憶部１１は、表示機器機種別データベースｄｂ１、および、ディスプレイ再生特性データｄｇを保持する。（これらの詳細は後述する。）記憶部１１は、例えば、ＲＡＭ（Random Access Memory）やＲＯＭ（Read Only Memory）といった記憶装置である。また、記憶部１１の記憶領域を補助するための補助記憶装置の記憶媒体として、半導体メモリ（メモリカード、ＳＳＤ（Solid State Drive））、ハードディスクなどを用いることができる。
【００２１】
通信部１５は、外部の機器（例、テレビ）との間でデータ送受信を行う通信インタフェースである。通信部１５は、例えば公衆無線通信網、無線ＬＡＮ、ＬＡＮケーブル等を介して、インターネットや、ＬＡＮ（Local Area Network）といったネットワークに接続することも可能である。その場合、通信部１５は、インターネットや、ＬＡＮを介してテレビ１０３との間でデータを送受信できる。
【００２２】
ディスプレイ１２は、カメラ１０１の本体の背面に備えられた液晶ディスプレイである。ディスプレイ１２は、記憶部１１に保持される画像（静止画、動画）を再生表示することができる。
【００２３】
［１−１−３．テレビの構成］
図４は、テレビ１０２の構成を示すブロック図である。テレビ１０２は、テレビ全体を制御するとともに画像データに対する処理を行う制御部２３と、画像を表示する表示部２２と、外部機器とのデータ送受信を行う通信部２５と、を有する。
【００２４】
制御部２３は、ＣＰＵおよびその補助回路で構成され、テレビ１０２を構成する各部を制御し、記憶部（図示せず）に記憶されたプログラムおよびデータに従って各種の処理を実行する。各種の処理には、画像データの再生処理が含まれる。制御部（ＣＰＵ）２３は、所定のプログラムを実行することによって、後述する処理を実行することができる。
【００２５】
なお、制御部２３の構成は、ＣＰＵおよびその周辺の補助回路に限定されない。制御部２３は、ＡＳＩＣ（Application Specific Integrated Circuit）や、ＦＰＧＡ（Field-Programmable Gate Array）のようなプログラマブルロジックデバイスや、マイクロコントローラ、といったプロセッサとして実装可能であり、また、制御部２３の実装上の構成は上述した例に限定されない。
【００２６】
表示部２２は、液晶ディスプレイである。表示部２２は、画像（静止画、動画）を再生表示することができる。
【００２７】
通信部２５は、外部の機器（例、カメラ）とのデータ送受信を行うインタフェースである。通信部２５は、例えば公衆無線通信網、無線ＬＡＮ、ＬＡＮケーブル等を介して、インターネットや、ＬＡＮ（Local Area Network）といったネットワークに接続することも可能である。
【００２８】
［１−２．動作］
次に、本実施形態による画像処理装置であるカメラ１０１の動作について、図５〜９を参照して説明する。
【００２９】
カメラ１０１は、記憶部１１に保持する画像を、データ通信可能に接続されたテレビ１０２に表示させることができ、表示に際し、表示すべき画像に対して後述する色補正処理を行って、色補正された画像データをテレビ１０２に送信する。そうすることで、その画像を、カメラ１０１のディスプレイ１２（図２）で表示したときと同じ色味で、テレビ１０２に表示させることができる。
【００３０】
図５は、カメラ１０１に保持される画像をテレビ１０２に表示させるときの一連の流れを示す図である。
【００３１】
ユーザは、カメラ１０１に対し、所望の画像をテレビ１０２へ表示させる指示を行う（ステップＳＱ１）。
【００３２】
カメラ１０１は、ユーザからの上記表示の指示を受信する（ステップＳＱ２）と、テレビ１０２に対し、テレビ１０２の仕様に関する情報の提示を要求する（ステップＳＱ３）。
【００３３】
上記の情報提示の要求を受信したテレビ１０２は、自身の仕様に関する情報を、カメラ１０１へ送信する（ステップＳＱ４）。
【００３４】
ここで、テレビ１０２がカメラ１０１へ送信する仕様情報の詳細について説明する。仕様情報は、次の項目についての情報を含むことができる。
・機種識別子
・個体識別子
・設定識別子
・表示解像度
・対応システムフォーマット
・対応ビデオコーデック
・対応オーディオコーデック
・対応ビデオフォーマット
【００３５】
機種識別子は、テレビ１０２の機種を識別するための情報である。機種識別子は、「ＡＸ−９００」、「ＡＳ−６５０」等のテレビ１０２の機種名のような、テレビ１０２の機種を判別することができる情報であればよい。
【００３６】
個体識別子は、テレビ１０２を個別に特定する情報であり、例えば、シリアルナンバーに関する情報である。
【００３７】
設定識別子は、テレビ１０２の表示設定に関する情報である。設定識別子は、例えば、「スタンダード」、「ビビッド」、「シネマ」等、現在テレビ１０２に設定されている表示設定を判別することができる情報である。
【００３８】
表示解像度は、テレビ１０２が対応可能な表示解像度に関する情報である。表示解像度は、例えば、解像度「４Ｋ」、「ＦＨＤ」、「ＨＤ」、「ＶＧＡ」等を示す情報である。
【００３９】
対応システムフォーマットは、テレビ１０２が対応可能な動画データのシステムフォーマットに関する情報である。対応システムフォーマットは、例えば、システムフォーマット「ＭＰ４」、「Ｍ２ＴＳ」、「ＭＰＧ」、「ＦＬＶ」等を示す情報である。
【００４０】
対応ビデオコーデックは、テレビ１０２が対応可能な動画データのビデオコーデックに関する情報である。対応ビデオコーデックは、例えば、ビデオコーデック「Ｈ２６３」、「Ｈ２６４」、「Ｈ２６５」、「ＶＣ１」、「ＶＰ８」等を示す情報である。
【００４１】
対応オーディオコーデックは、テレビ１０２が対応可能な動画データのオーディオコーデックに関する情報である。対応オーディオコーデックは、例えば、オーディオコーデック「ＭＰＥＧ１−Ａｕｄｉｏ」、「ＭＰＥＧ２−ＡＡＣ」、「ＭＰＥＧ４−ＡＡＣ」、「ＭＰＥＧ４−ＡＡＣ  ＬＣ」、「ＡＣ−３」等を示す情報である。
【００４２】
対応ビデオフォーマットは、テレビが対応可能な動画データのビデオフォーマットに関する情報である。対応ビデオフォーマットは、例えば、動画再生可能な解像度や、フレームレート（ＦＰＳ（Frames Per Second））（「４Ｋ３０Ｐ」、「ＦＨＤ６０Ｐ」等）を示す情報である。
【００４３】
図５に戻り、カメラ１０１は、上記したような、テレビ１０２の仕様の情報をテレビ１０２から受信する（ステップＳＱ５）。テレビ１０２の仕様の情報を受信したカメラ１０１は、テレビ１０２に表示すべき画像の画像データに対し、色補正処理を行う（ステップＳＱ６）。
【００４４】
カメラ１０１は、色補正された画像データ（静止画または動画）をテレビ１０２へ送信する（ステップＳＱ７）。
【００４５】
色補正された画像データを受信したテレビ１０２は、当該画像データに基づいて、画像の表示を行う（ステップＳＱ８）。
【００４６】
ユーザは、そのようにしてテレビ１０２に表示された画像を閲覧する（ステップＳＱ９）。
【００４７】
ここでカメラ１０１が行う色補正処理について図６〜９を参照して詳細に説明する。
【００４８】
図６は、カメラ１０１の制御部１３が行う色補正処理のフローチャートである。
【００４９】
カメラ１０１の制御部１３は、記憶部１１に保持された、ディスプレイ再生特性データｄｇを取得する（ステップＳ６１）。ディスプレイ再生特性データｄｇとは、カメラ１０１のディスプレイ１２の色再生の特性を示すデータである。色再生の特性は、例えば、ディスプレイ１２のガンマ特性である。
【００５０】
図７に、ディスプレイ１２のガンマ特性の例（（ａ）〜（ｃ））と、カメラ１０１の記憶部１１に保持されるディスプレイ再生特性データｄｇの例（（ｄ））を示す。
【００５１】
図７（ａ）は、ディスプレイ１２の赤色に関するガンマ特性Ｆｒの例を示す図である。本図において、横軸は、画像データを構成する画素の赤色成分の画素値（最大値で規格化）であり、縦軸は、ディスプレイ１２の対応する画素の赤色サブピクセルに出力される出力信号の信号強度（最大値で規格化）である。ガンマ特性は、いわば、画素値を入力とし出力信号の信号強度を出力とする写像である。
【００５２】
同様、図７（ｂ）および図７（ｃ）はそれぞれ、ディスプレイ１２の緑色および青色に関するガンマ特性Ｆｇ、Ｆｂの例を示す図である。
【００５３】
図７（ｄ）は、ガンマ特性Ｆｒ、Ｆｇ、Ｆｂを離散的な入力値に対する出力値のテーブルとして表したものである。カメラ１０１は、ディスプレイ１２のディスプレイ再生特性データｄｇとして、図７（ｄ）のようなテーブルを記憶部１１に保持している。制御部１３は、ステップＳ６１において、記憶部１１からディスプレイ再生特性データｄｇを読み出して取得する。
【００５４】
図６に戻り、カメラ１０１の制御部１３は、テレビ１０２から取得した機種識別子等をキーとして用いて表示機器機種別データベースｄｂ１を検索することにより、テレビ１０２の色再生の特性を示すデータを取得する（ステップＳ６２）。色再生の特性は、例えば、テレビ１０２のガンマ特性である。
【００５５】
図８は、表示機器機種別データベースｄｂ１の例を示す図である。
【００５６】
本図の例では、表示機器機種別データベースｄｂ１は、項目「ガンマ特性」で関係づけられた２つのテーブルｄｂ１ａ、ｄｂ１ｂにより構成されるデータベースである。
【００５７】
第１テーブルｄｂ１ａは、機種別識別子により識別されるテレビの各機種について、ガンマ特性のパターンを示す情報を保持する。さらに、同一の機種識別子により識別されるテレビについて、個体識別子毎に異なる情報を保持してもよい。例えば、機種識別子「ＡＸ９００」を有するテレビは、さらに、個体識別子で区別されてよい。これにより、同一の機種であってもファームウェアが相違する個体それぞれについてのガンマ特性を保持することができる。個体識別子「ＰＡ１１０８５ＣＸ」で識別されるテレビは、設定識別子「スタンダード」、「ビビッド」、「シネマ」で区別される表示設定を有し、それぞれについて、ガンマ特性は「パターンＡ」、「パターンＢ」、「パターンＣ」である。一方、個体識別子「ＰＡ１１２３４ＣＸ」で識別されるテレビは、２種類の表示設定のみを有している。
【００５８】
第２テーブルｄｂ１ｂは、ガンマ特性のパターンそれぞれについて、離散化されたガンマ特性の情報を保持するテーブルである。
【００５９】
ステップＳ６２において、カメラ１０１の制御部１３は、先にステップＳＱ５において取得した機種識別子等に基づいて、第１テーブルｄｂ１ａを検索しテレビ１０２のガンマ特性のパターンを特定する。そして、制御部１３は、そのようにして特定したガンマ特性のパターンに基づいて、第２テーブルｄｂ１ｂを検索しテレビ１０２のガンマ特性のデータを取得する。なお、本ステップにおけるガンマ特性のデータの取得において、個体識別子、設定識別子は、必須ではない。制御部１３は、機種識別子のみに基づいて、ガンマ特性のデータを取得してもよい。そのような場合において一の機種識別子で特定されるテレビ一機種に複数のガンマ特性のパターンがテーブルｄｂ１ａに記録されている場合、制御部１３は、それら複数のガンマ特性のうち最も上位に記録されているパターンを、テレビのガンマ特性のパターンとして特定してよい。
【００６０】
図６に戻り、カメラ１０１の制御部１３は、テレビ１０２に表示すべき画像のタイプ（静止画または動画）をチェックする（ステップＳ６３）。表示すべき画像のタイプが静止画である場合、処理は、ステップＳ６４へ進み、表示すべき画像のタイプが動画である場合、処理は、ステップＳ６５へ進む。
【００６１】
ステップＳ６４において、カメラ１０１の制御部１３は、表示すべき画像の画像データに対しリサイズ変換を行う。ここでのリサイズ変換の処理は、画像データの解像度を、テレビ１０２の解像度にとって最適なものにする処理である。つまり、制御部１３は、ステップＳＱ５において取得した表示解像度の情報に基づいて、表示すべき画像データの解像度をテレビ１０２の解像度に最適化する。
【００６２】
リサイズされた画像データに対し、制御部１３は、色補正処理を行う（ステップＳ６５）。ここでの色補正の処理は、上記画像データをテレビ１０２で表示した場合に、その色味が、自身のディスプレイ１２（図３）で表示したときの色味と同じような色味になるように画像データの画素値を補正する処理である。
【００６３】
具体的には、ステップＳ６５において、制御部１３は、テレビ１０２に表示すべき画像の画像データの各画素値の３色（ＲＧＢ）成分それぞれについて、カメラ１０１のディスプレイ１２のガンマ特性と、テレビ１０２のガンマ特性の逆写像と、の合成写像を適用し、その出力を、補正後の各画素値の各色成分とする処理を行う。
【００６４】
例えば、補正前の（リサイズされた）画像データの任意の画素の画素値ｘをｘ＝（ｘｒ，ｘｇ，ｘｂ）（ｘｒは、赤色成分、ｘｇは、緑色成分、ｘｂは、青色成分）とし、カメラ１０１のディスプレイ１２のガンマ特性を、ＲＧＢそれぞれについて、Ｆｒ（ｘ）、Ｆｇ（ｘ）、Ｆｂ（ｘ）（ｘは、画素の各色成分の値）とすると、当該画像をカメラ１０１のディスプレイ１２で表示させたときの色味は、Ｆｒ（ｘｒ）、Ｆｇ（ｘｇ）、Ｆｂ（ｘｂ）により決定される。その一方、テレビ１０２のガンマ特性をＧｒ（ｘ）、Ｇｇ（ｘ）、Ｇｂ（ｘ）とすると、同一の画像データにもとづいてテレビ１０２に画像を表示させた場合、その色味は、Ｇｒ（ｘｒ）、Ｇｇ（ｘｇ）、Ｇｂ（ｘｂ）により決定される。
【００６５】
よって、ある画像をカメラ１０１のディスプレイ１２で表示させた場合の色味と、当該画像をテレビ１０２で表示させた場合の色味と、を一致させるには、画像データの各画素値ｘについて、（Ｆ（ｘ）＝Ｇ（ｘ）・Ｈ（ｘ）より、）
Ｈ（ｘ）＝Ｇ−１（ｘ）・Ｆ（ｘ）
で規定される変換写像Ｈ（ｘ）を作用させればよい。ここで、Ｇ−１は、テレビ１０２のガンマ特性を表す写像の逆写像であり、Ｆは、カメラ１０１のディスプレイ１２のガンマ特性を表す写像であり、Ｈは、写像Ｆと写像Ｇ−１の合成写像である。
【００６６】
図９は、赤色成分を例に、ガンマ特性の写像ＦおよびＧならびに色補正に用いる変換写像Ｈを例示する図である。図９（ａ）は、カメラ１０１のディスプレイ１２の赤色ガンマ特性Ｆｒの例であり、図９（ｂ）は、テレビ１０２の赤色ガンマ特性Ｇｒの例である。このとき、写像Ｇの逆写像は、図９（ｃ）に示すものとなり、結果、色補正用変換写像Ｈは、図９（ｄ）に示すものとなる。
【００６７】
カメラ１０１の制御部１３は、ステップＳ６１で取得した、ディスプレイ１２の再生特性（ガンマ特性）と、ステップＳ６２で取得した、テレビ１０２の再生特性（ガンマ特性）と、に基づいて、色補正用変換写像Ｈのテーブルを作成し、当該テーブルを用いて、ステップＳ６４でリサイズされた画像の画像データの各画素値を変換し、色補正画像のデータを生成する。
【００６８】
図６に戻り、表示すべき画像が動画である場合、カメラ１０１の制御部１３は、動画の画像データに対し、ステップＳＱ５において取得した、対応システムフォーマット、対応ビデオコーデック、対応オーディオコーデック、および、対応ビデオフォーマットの情報に基づいて、画像データのフォーマット変換を行い（リサイズ処理を含む。）、その後、フォーマット変換された動画の画像データに対し、ステップＳ６５と同様の色補正処理を行って動画の色補正画像データを生成する。
【００６９】
［１−３．］効果等
図１（ｂ）に、ステップＳＱ８によりテレビに表示された画像の表示ＤＰＬ２ｂの例を示す。このように、本実施形態による画像処理装置であるカメラ１０１は、テレビ１０２に画像を表示させる場合に、カメラ１０１のディスプレイ１２の色の再生特性（例えば、ガンマ特性）と、テレビ１０２との色の再生特性（例えば、ガンマ特性）と、を考慮して、テレビ１０２に対して出力する画像データに対して色補正処理を行う。そのため、本実施形態による画像処理装置は、一の画像をディスプレイ１２やテレビ１０２に表示させた場合に、色味の相違が生じにくくなるという効果を奏することができる。
【００７０】
（実施の形態２）
以下、図１０〜１４を用いて、実施の形態２を説明する。
【００７１】
［２−１．構成］
［２−１−１．システム構成］
図１０は、本発明の実施形態２による、画像処理および表示のためのシステム２００の構成を示すブロック図である。システム２００は、撮影した画像を表示可能なディスプレイ１２を備えたカメラ２０１と、カメラ２０１とデータ送受信可能に接続されサーバ２０３と、サーバ２０３とデータ送受信可能に接続されたテレビ２０２とを有するシステムである。サーバ２０３は、カメラ２０１が撮影した画像のデータや各種データを保持可能な記憶部３１を備える。サーバ２０３は、本実施形態による画像処理装置としての機能を有する。
【００７２】
［２−１−２．サーバの構成］
図１１は、サーバ２０３の構成を示すブロック図である。サーバ２０３は、サーバ全体を制御するとともに画像データに対する所定の画像処理を行う制御部３３と、各種データを記憶保持する記憶部３１と、外部機器との間でデータ送受信を行う通信部３５と、を有する。
【００７３】
制御部３３は、ＣＰＵ（Central Processing Unit；中央演算処理装置）およびその補助回路で構成され、サーバ２０３を構成する各部を制御し、記憶部３１に記憶されたプログラムおよびデータに従って各種の処理を実行する。各種の処理には、画像データに対する画像処理が含まれる。制御部（ＣＰＵ）３３は、所定のプログラムを実行することによって、後述する処理を実行することができる。
【００７４】
なお、制御部３３の構成は、ＣＰＵおよびその周辺の補助回路に限定されない。制御部３３は、ＡＳＩＣ（Application Specific Integrated Circuit）や、ＦＰＧＡ（Field-Programmable Gate Array）のようなプログラマブルロジックデバイスや、マイクロコントローラ、といったプロセッサとしても実装可能である。
【００７５】
記憶部３１は、制御部（ＣＰＵ）３３が実行するプログラムを格納し、またプログラムを実行するために必要な作業領域として用いられる。記憶部３１は、さらに、画像データの保持にも使用される。また、記憶部３１は、後述する撮影機器機種別データベースｄｂ２を保持する。記憶部１１は、例えば、ＲＡＭ（Random Access Memory）やＲＯＭ（Read Only Memory）といった記憶装置である。また、記憶部１１の記憶領域を補助するための補助記憶装置の記憶媒体として、半導体メモリ（メモリカード、ＳＳＤ（Solid State Drive））、ハードディスクなどを用いることができる。
【００７６】
通信部３５は、外部の機器（例、カメラ２０１、テレビ２０２）との間でデータ送受信を行う通信インタフェースである。通信部１５は、例えば公衆無線通信網、無線ＬＡＮ、ＬＡＮケーブル等を介して、インターネットや、ＬＡＮ（Local Area Network）といったネットワークに接続することも可能である。その場合、通信部３５は、インターネットや、ＬＡＮを介してカメラ２０１、テレビ２０２との間でデータを送受信できる。
【００７７】
［２−１−３．カメラの構成］
カメラ２０１の構成は、カメラ１０１（図３）の構成と同じでよい。但し、カメラ２０１は、先述した、表示機器機種別データベースｄｂ１、および、ディスプレイ再生特性データｄｇを保持しなくともよい。
【００７８】
［２−１−４．テレビの構成］
テレビ２０２の構成は、テレビ１０２（図４）の構成と同じでよい。
【００７９】
［２−２．動作］
次に、本実施形態による画像処理装置であるサーバ２０３の動作について、図１２〜１４を参照して説明する。
【００８０】
実施形態１においては、カメラ１０１が図６に示した色補正処理を行う例を示した。これに対し、本実施形態では、サーバ２０３が後述する色補正処理（図１４）を行う例を示す。すなわち、本実施形態においては、サーバ２０３が画像処理装置として動作する。本実施形態によるサーバ２０３は、カメラ２０１から画像データを受信し、受信した画像データに対して後述する色補正処理を行い、色補正処理された画像をテレビ２０２に対して送信する。テレビ２０２は、サーバ２０３から送られてきた色補正処理された画像を表示する。そうすることで、システム２００においては、カメラ２０１のディスプレイに表示されたときの色味とほぼ同一の色味で、画像をテレビ２０２に表示させることができる。図１４を参照して後述する色補正処理は、上で既に図６を参照して説明した色補正処理と類似する処理である。しかしながら、この色補正処理では、テレビ２０２の色表示に関する再生特性の取得において、図６に示した色補正処理と異なる処理を含む。詳細は後述するが、図１４に示した色補正処理では、サーバ２０３は、テレビ２０２に色見本画像を表示させ、カメラ２０１が撮影した当該色見本画像（「色見本撮影画像」）に基づいて、テレビ２０２の再生特性を推定し、推定した再生特性をテレビ２０２の再生特性とみなして色補正処理を実行する。したがって、本実施形態によるサーバ２０３は、先の実施形態によるカメラ１０１が有した表示機器機種別データベースｄｂ１に相当するデータベースを保持しなくてよい。
【００８１】
サーバ２０３は、カメラ２０１のディスプレイの再生特性に関するデータベースを保持する。サーバ２０３は、当該データベースから、カメラ２０１の再生特性（例、ガンマ特性）を取得する一方で、テレビ２０２の再生特性（例、ガンマ特性）については色見本撮影画像に基づいて推定することにより取得し、両再生特性に基づいてテレビ２０２に表示すべき画像に対し色補正処理を行う。
【００８２】
図１２は、カメラ２０１が撮像し、サーバ２０３に保持される画像をテレビ２０２に表示させるときの一連の流れを示す図である。
【００８３】
カメラ２０１は、撮像を行うと、撮像により得た画像データをカメラ２０１内の記憶部に保持するとともに、カメラ２０１は、画像データを、随時、サーバ２０３へ送信する（ステップＳＱ１０１）。
【００８４】
サーバ２０３は、カメラ２０１から送られた画像データを受信し、当該画像データを記憶部３１に保存する（ステップＳＱ１０２）。
【００８５】
ステップＳＱ１０１およびＳＱ１０２にかかる処理は随時実行される。そうすることで、サーバ２０３は、カメラ２０１が生成した画像データ（静止画、動画）を記憶部３１に蓄積する。
【００８６】
その後、ユーザは、カメラ２０１に対し、所望の画像を表示機器（テレビ２０２）へ表示させる指示を行う（ステップＳＱ１０３）。
【００８７】
カメラ２０１は、ユーザからの上記表示の指示を受信する（ステップＳＱ１０４）と、サーバ２０３へ、テレビ２０２に画像を表示させる要求を送信するとともに、カメラ２０１自身を識別させるための識別子（撮影機器識別子）を、サーバ２０３へ送信する（ステップＳＱ１０５）。ここでカメラ２０１がサーバ２０３へ送信する撮影機器識別子は、カメラ２０１の機種名に関する情報である。撮影機器識別子は、カメラ２０１の機種を識別することができる情報であればよい。もしくは、カメラ２０１のディスプレイの色再生特性を特定するのに必要な情報（個体識別子、表示設定識別子）を含んでもよい。
【００８８】
サーバ２０３は、画像をテレビ２０２に表示させる要求、および、撮影機器識別子を、カメラ２０１から受信する（ステップＳＱ１０６）。ここで受信された撮影機器識別子は、後述する色補正処理のカメラディスプレイ再生特性の取得（図１４のステップＳ１１７１）に用いられる。
【００８９】
サーバ２０３は、テレビ２０２に対し、テレビ２０２の仕様に関する情報の提示を要求する（ステップＳＱ１０７）。
【００９０】
当該要求を受信したテレビ２０２は、自身の仕様に関する情報を、サーバ２０３へ送信する（ステップＳＱ１０８）。ここでテレビ２０２がサーバ２０３へ送信する仕様情報は、実施形態１においてテレビ１０２がカメラ１０１へ送信する仕様情報と同様の情報でよい。すなわち、仕様情報は、（テレビ２０２の）機種識別子、個体識別子、設定識別子、表示解像度、対応システムフォーマット、対応ビデオコーデック、対応オーディオコーデック、対応ビデオフォーマット等を含んでよい。サーバ２０３は、テレビ２０２の仕様に関する情報をテレビ２０２から受信する（ステップＳＱ１０９）。
【００９１】
次に、サーバ２０３は、図１３に例示するようなカラーチャートの画像（「色見本画像」）をテレビ２０２に表示させる要求を行う（ステップＳＱ１１０）。このため、色見本画像ｃｃの画像データをテレビ２０２へ送信する（ステップＳＱ１１１）。図１３に示したカラーチャートｃｃは、赤色、黄色、緑色、水色、青色、紫色などの色で塗りつぶされた領域を有する色見本画像の一例である。なお、色見本画像は、図１３に示すようなカラーチャートｃｃに限定されない。
【００９２】
テレビ２０２は、色見本画像を表示する（ステップＳＱ１１２）。
【００９３】
テレビ２０２が色見本画像を表示しているときに、ユーザは、カメラ２０１を用いてテレビ２０２に表示された色見本画像を撮影する（ステップＳＱ１１３）。このとき、カメラ２０１は、色見本画像をフレームに適切に収めるためのガイド情報を表示してユーザが適切に色見本画像を撮影できるように誘導してもよい。
【００９４】
ユーザによる撮影操作を受けたカメラ２０１は、フレーム中に色見本画像が含まれる画像の撮影を行う（ステップＳＱ１１４）。
【００９５】
撮影された色見本画像（「色見本撮影画像」）は、サーバ２０３へ送信される（ステップＳＱ１１５）。
【００９６】
サーバ２０３は、カメラ２０１から送られてきた色見本撮影画像の画像データを受信する（ステップＳＱ１１６）。
【００９７】
次に、サーバ２０３は、テレビ２０２に表示すべき画像の画像データに対し色補正処理を行う（ステップＳＱ１１７）。
【００９８】
サーバ２０３は、色補正された画像データ（静止画または動画）をテレビ２０２へ送信する（ステップＳＱ１１８）。
【００９９】
色補正された画像データを受信したテレビ２０２は、当該画像データに基づいて、画像の表示を行う（ステップＳＱ１１９）。
【０１００】
ユーザは、そのようにしてテレビ２０２に表示された画像を閲覧する（ステップＳＱ１２０）。
【０１０１】
ここでサーバ２０３が行う色補正処理について図１４を参照して詳細に説明する。
【０１０２】
図１４は、サーバ２０３の制御部３３が行う色補正処理のフローチャートである。
【０１０３】
サーバ２０３の制御部３３は、ステップＳＱ１０６で取得した撮影機器識別子に基づいて撮影機器機種別データベースｄｂ２を検索して、カメラ２０１のディスプレイの色再生の特性を示すデータを取得する（ステップＳ１１７１）。色再生の特性とは、例えば、カメラ２０１のディスプレイのガンマ特性である。なお、サーバ２０３が保持する撮影機器機種別データベースｄｂ２は、第１の実施形態における表示機器機種別データベースｄｂ１と同様の項目のデータを備えた、撮影機器に関するデータベースであればよい。つまり、撮影機器機種別データベースｄｂ２は、撮影機器識別子に基づいて、カメラ２０１のディスプレイの再生特性（例、ガンマ特性）を取得できるようなデータベースであればよい。
【０１０４】
次に、サーバ２０３の制御部３３は、ステップＳＱ１１６で取得した色見本撮影画像に基づいて、テレビ２０２の色再生の特性（例、ガンマ特性）を推定して取得する（ステップＳ１１７２）。より詳細には、サーバ２０３は、色見本画像と、色見本撮影画像と、を比較することにより、テレビ２０２の色再生の特性（例、ガンマ特性）を推定する。色見本画像は、サーバ２０３が内蔵する画像データである。サーバ２０３は、色見本画像の所定の領域の画素値と、当該所定領域に対応する色見本撮影画像内の領域の画素値と、を比較することにより、テレビ２０２の再生特性（ガンマ特性等）を推定する。色見本画像の画素の画素値をｙ（ｙ＝（ｙｒ，ｙｇ，ｙｂ）、ｙｒ：赤色画素値、ｙｇ：緑色画素値、ｙｂ：青色画素値）とし、当該画素と対応する色見本撮影画像の画素の画素値をｚ（ｚ＝（ｚｒ，ｚｇ，ｚｂ）、ｚｒ：赤色画素値、ｚｇ：緑色画素値、ｚｂ：青色画素値）とし、テレビ２０２のガンマ特性を表す写像をＧとしたとき、
ｚ＝Ｇ（ｙ）
の関係が成立すると仮定し、当該関係より、写像Ｇの逆写像Ｇ−１を求める。例えば、色見本画像の画素値ｙｒを縦軸にとり、当該画素と対応する色見本撮影画像の画素の画素値ｚｒを横軸にとってプロットし、プロットした点の近似曲線を求め、この近似曲線をＧ−１とすることによりＧ−１を求めることができる。色見本撮影画像は、テレビ２０２が設置された場所の周囲の光環境の影響を受けるため、ステップＳ１１７２で推定される再生特性（ガンマ特性等）は、当該光環境の影響を考慮した再生特性として取得することができる。
【０１０５】
サーバ２０３の制御部３３は、テレビ２０２に表示すべき画像のタイプ（静止画または動画）をチェックする（ステップＳ１１７３）。表示すべき画像のタイプが静止画である場合、処理は、ステップＳ１１７４へ進み、表示すべき画像のタイプが動画である場合、処理は、ステップＳ１１７６へ進む。
【０１０６】
ステップＳ１１７４において、サーバ２０３の制御部３３は、表示すべき画像の画像データに対しリサイズ変換を行う。ここでのリサイズ変換の処理は、画像データの解像度を、テレビ２０２の解像度にとって最適なものにする処理である。つまり、制御部３３は、ステップＳＱ１０９において取得した表示解像度の情報に基づいて、上記画像データの解像度をテレビ２０２の解像度に最適化する。
【０１０７】
リサイズされた画像データに対し、制御部３３は、色補正処理を行う（ステップＳ１１７５）。ここでの色補正の処理は、上記画像データをテレビ２０２で表示した場合に、その色味が、カメラ２０１のディスプレイで表示したときの色味と同じような色味になるように画像データの画素値を補正する処理である。
【０１０８】
ステップＳ１１７５の色補正の処理は、第１の実施形態におけるステップＳ６５（図６）における色補正処理と同様の処理である。具体的には、ステップＳ１１７５において、制御部３３は、テレビ２０２に表示すべき画像の画像データの各画素値の３色（ＲＧＢ）成分それぞれについて、ステップＳ１１７１で取得したカメラ２０１のディスプレイのガンマ特性と、ステップＳ１１７２で推定により取得したテレビ２０２のガンマ特性の逆写像と、の合成写像を適用し、その出力を、補正後の各画素値の各色成分とする処理を行う。
【０１０９】
他方、表示すべき画像が動画である場合、サーバ２０３の制御部３３は、動画の画像データに対し、ステップＳＱ１０９において取得した、対応システムフォーマット、対応ビデオコーデック、対応オーディオコーデック、および、対応ビデオフォーマットの情報に基づいて、画像データのフォーマット変換を行い（リサイズ処理を含む。）、その後、フォーマット変換された動画の画像データに対し、ステップＳ１１７５と同様の色補正処理を行って動画の色補正画像データを生成する。
【０１１０】
［２−３．効果等］
このように、本実施形態による画像処理装置であるサーバ２０３は、テレビ２０２に画像を表示させる場合に、カメラ２０１のディスプレイの色の再生特性（例えば、ガンマ特性）と、テレビ２０２との色の再生特性（例えば、ガンマ特性）と、を考慮して、テレビ２０２に対して出力する画像データに対して色補正処理を行う。そのため、本実施形態による画像処理装置は、一の画像をカメラ２０１のディスプレイやテレビ２０２に表示させた場合に、色味の相違が生じにくくなるという効果を奏することができる。さらに、サーバ２０３は、表示機器（テレビ２０２）についての再生特性（例えば、ガンマ特性）のデータを、テレビ２０２に表示された色見本画像をカメラ２０１が撮影した画像（色見本撮影画像）に基づいて推定により求めることができる。そのため、サーバ２０３は、表示機器の再生特性のデータを保持しておく必要がない。したがって、サーバ２０３は、あらゆる表示機器（テレビ、モニタディスプレイ）に対応して最適な色補正画像を生成することが可能となっている。
【０１１１】
実施形態１のカメラ１０１は、
第１の表示装置（カメラ１０１のディスプレイ１２）の色再生特性である第１の再生特性を取得する第１取得部（制御部１３）と、
前記第１の表示装置とは異なる第２の表示装置（テレビ１０２）の色再生特性である第２の再生特性を取得する第２取得部（制御部１３）と、
画像のデータを記憶する記憶部（記憶部１１）と、
前記第１の再生特性および前記第２の再生特性に基づいて、前記第２の表示装置において前記第１の再生特性での表示が実現されるように、前記画像の色を補正して補正画像のデータを生成する補正部（制御部１３）と、
を有する画像処理装置である。
【０１１２】
実施形態２のサーバ２０３は、
第１の表示装置（カメラ２０１のディスプレイ）の色再生特性である第１の再生特性を取得する第１取得部（制御部３３）と、
前記第１の表示装置とは異なる第２の表示装置（テレビ２０２）の色再生特性である第２の再生特性を取得する第２取得部（制御部３３）と、
画像のデータを記憶する記憶部（記憶部３１）と、
前記第１の再生特性および前記第２の再生特性に基づいて、前記第２の表示装置において前記第１の再生特性での表示が実現されるように、前記画像の色を補正して補正画像のデータを生成する補正部（制御部３３）と、
を有する画像処理装置である。
【０１１３】
ここで、再生特性は、ガンマ特性であってもよい。この場合、補正部は、第１のガンマ特性を表す写像（Ｆ）と前記第２のガンマ特性を表す写像（Ｇ）の逆写像（Ｇ−１）との合成写像（Ｈ：Ｈ＝Ｇ−１・Ｆ）に基づいて、前記補正画像のデータを生成してもよい。
【０１１４】
また、画像処理装置（サーバ２０３）は、さらに、所定の色見本画像を前記第２の表示装置（テレビ２０２）に表示させる表示指示部（制御部３３）と、
第２の表示装置に表示された色見本画像を撮像した画像を取得する画像取得部（制御部３３）と、を有し、
第２取得部（制御部３３）は、画像取得部により取得した画像に基づいて前記第２のガンマ特性を求めてもよい。
【０１１５】
また、実施形態２のシステムは、
撮像装置（カメラ２０１）およびサーバ（２０３）を有する画像表示システム（２００）であって、
撮像装置（２０１）は、
撮像することで画像のデータを生成する撮影部（１４）と、
画像を表示する第１の表示装置（１２）と、
画像のデータをサーバ（２０３）へ送信する第１の通信部（１５）と、を備え、
サーバ（２０３）は、
撮像装置（２０１）から画像のデータを受信する第２の通信部（３５）と、
画像のデータを記憶する記憶部（３１）と、
第１の表示装置（カメラ２０１のディスプレイ）の色再生特性である第１の再生特性を取得する第１取得部（３３）と、
第１の表示装置とは異なる第２の表示装置（テレビ２０２）の色再生特性である第２の再生特性を取得する第２取得部（３３）と、
第１の再生特性および前記第２の再生特性に基づいて、前記第２の表示装置（２０２）において前記第１の再生特性での表示が実現されるように、前記画像の色を補正して補正画像のデータを生成する補正部（３３）と、
補正画像のデータを前記第２の表示装置（２０２）へ送信する第３の通信部（１５）と、を備える、画像表示システムである。
【０１１６】
（他の実施の形態）
以上のように、本出願において開示する技術の例示として、実施の形態１および２を説明した。しかしながら、本開示における技術は、これに限定されず、適宜、変更、置き換え、付加、省略などを行った実施の形態にも適用可能である。また、上記実施の形態１および２で説明した各構成要素を組み合わせて、新たな実施の形態とすることも可能である。
【０１１７】
そこで、以下、他の実施の形態を例示する。
【０１１８】
実施形態１においては、カメラ１０１を画像処理装置の例として示し、実施形態２においては、サーバ２０３を画像処理装置の例として示した。しかしながら、実施形態１で説明した色補正処理を、サーバが行ってもよいし、実施の形態２で説明した色補正処理を、カメラが行ってもよい。カメラ１０１やサーバ２０３の制御部は、所定のプログラムを実行することにより、上で説明した機能を実現してもよい。また、カメラ１０１やサーバ２０３の制御部は、専用のハードウェア（専用のＩＣチップ等）により実装されてもよい。
【０１１９】
また、画像処理装置は、カメラやサーバに限定されない。パーソナル・コンピュータや、スマートフォン（スマートデバイス）が、上記実施形態の画像処理を行ってもよい。
【０１２０】
また、図６または図１４で説明した色補正処理により得られた色補正画像のデータは、表示機器に直接送信する必要はない。色補正画像のデータは、一旦、記憶媒体（ブルーレイ（ｂｌｕ−ｒａｙ）・ディスク等）に記録され、表示機器と接続された再生装置に供されてもよい。
【０１２１】
実施形態１および実施形態２においては、色再生の特性の例として、ガンマ特性を挙げた。しかしながら、色再生の特性は、ガンマ特性に限定されない。色再生の特性は、輝度や、ホワイトバランスといった項目を含んでよく、これに限定されない。
【０１２２】
また、実施形態１において、同じ表示機器に対して連続して写真の表示要求を行う場合、２回目以降の表示要求に対してはステップＳ６１およびステップＳ６２は省略し、１回目の表示要求の際にステップＳ６１とステップＳ６２によって取得したテレビ再生特性に基づいて色補正処理を行ってもよい。また、実施形態２において、一度、色再生の特性を推定した表示機器について、その特性情報をサーバの記憶装置に図８に示す形式で保管しておき、次回、同じ表示機器に対する表示要求があった場合にはステップＳＱ１１０〜ＳＱ１１６を省略して、その代わりに、記憶装置に記憶した色再生の特性をステップＳＱ１１７における色補正処理に使用してもよい。
【０１２３】
以上のように、本開示における技術の例示として、実施の形態を説明した。そのために、添付図面および詳細な説明を提供した。
【０１２４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２５】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２６】
本開示は、画像処理装置に適用可能である。具体的には、デジタルカメラ、ムービーカメラ、カメラ機能付き携帯電話機、スマートフォン、パーソナル・コンピュータ、サーバ装置などに、本開示は適用可能である。また、本開示は次のような表示装置、すなわち、パーソナル・コンピュータなどのディスプレイ、プロジェクタ、プリンタのような表示装置との組みあわせで適用可能である。
【符号の説明】
【０１２７】
１１：記憶部
１２：ディスプレイ
１３：制御部
１４：撮影部
１５：通信部
２２：表示部
２３：制御部
２５：通信部
３１：記憶部
３３：制御部
３５：通信部
１０１：カメラ
１０２：テレビ
２０１：カメラ
２０２：テレビ
２０３：サーバ
【図１】
2016096476.tif 000003
【図２】
2016096476.tif 000004
【図３】
2016096476.tif 000005
【図４】
2016096476.tif 000006
【図５】
2016096476.tif 000007
【図６】
2016096476.tif 000008
【図７】
2016096476.tif 000009
【図８】
2016096476.tif 000010
【図９】
2016096476.tif 000011
【図１０】
2016096476.tif 000012
【図１１】
2016096476.tif 000013
【図１２】
2016096476.tif 000014
【図１４】
2016096476.tif 000015
【図１３】
2016096476.tif 000016